(57)【要約】【課題】  従来の特定国語会話の学習の機会では、所望する条件で会話学習できる友人をつくる機会が少ない。語学教室、留学、学校等の方法は経費、時間等の問題がある。本発明は、このような従来の学習方法の問題点を解決しようとするものである。【解決手段】  モバイル端末機でネットワークを介してサーバコンピュータに接続して接続相手の条件を設定する。サーバコンピュータの記憶部のデーターベースから条件に該当する受信用待機登録機を抽出し応答確認をして接続する。【選択図】図１
2011022979.tif 000002
【特許請求の範囲】
【請求項１】
コンピュータシステムにより次の機能を含む。
モバイル端末機でネットワークを介してサーバコンピュータにアクセスして、
発信者登録情報として接続相手の条件、受信用待機登録機の電話番号とメールアドレス、抽出されるまでの待機時間を入力する機能と、
サーバコンピュータの記憶部から接続相手の条件に該当する受信用待機登録機を抽出する機能と、
該当する受信用待機登録機を抽出できない場合
サーバコンピュータは、発信者登録情報の接続相手の条件、受信用待機登録機の電話番号とメールアドレス、抽出されるまでの待機時間をサーバコンピュータの記憶部に記憶する機能と、
抽出されるまでの待機時間を越えたら発信者登録情報をサーバコンピュータの記憶部から削除する機能と、
該当する受信用待機登録機を抽出できた場合
サーバコンピュータは、発信者登録情報の接続相手の条件、受信用待機登録機の電話番号とメールアドレス、抽出されるまでの待機時間を、抽出した受信用待機登録機と関連づけて、サーバコンピュータの記憶部に記憶する機能と、
抽出した受信用待機登録機をサーバコンピュータの記憶部から削除する機能と、
ネットワークを介して抽出した受信用待機登録機の応答確認する機能と、
抽出した受信用待機登録機の応答確認ができない場合
サーバコンピュータは、発信者登録情報の接続相手の条件、受信用待機登録機の電話番号とメールアドレス、抽出されるまでの待機時間をサーバコンピュータの記憶部に記憶する機能と、
抽出されるまでの待機時間を越えたら発信者登録情報をサーバコンピュータの記憶部から削除する機能と、
サーバコンピュータの記憶部から抽出した受信用待機登録機を削除したことを、サーバコンピュータの記憶部に記憶されている電子メールアドレスを用いて電子メールで通知する機能と、
抽出した受信用待機登録機の応答確認ができた場合
サーバコンピュータは、発信者のモバイル端末機をサーバコンピュータの記憶部に記憶されている受信用待機登録機の電話番号を用いてネットワークを介して接続する機能を実現させる条件接続システム。
【発明の詳細な説明】
【技術分野】
【０００１】本発明は、特定国語会話を学習するための、条件接続システムに関するものである。
【背景技術】
【０００２】従来の特定国語会話の学習は、友人との会話、語学教室、留学、学校等がある。
【発明の開示】
【発明が解決しようとする課題】
【０００３】  以上に述べた従来の会話学習の機会では、所望する条件で会話学習できる友人をつくる機会が少ない。
語学教室、留学、学校等の方法は経費、時間等の問題がある。
本発明は、このような従来の学習方法の問題点を解決しようとするものである。
【課題を解決するための手段】
【０００４】  そして、本発明は上記課題を解決するために、コンピュータシステムにより次の機能を含む。
会話学習の接続相手を探す発信者は、モバイル端末機でネットワークを介してサーバコンピュータにアクセスして、発信者登録情報として接続相手の条件（言語、対象者、レベル、会話のキーワード）、受信用待機登録機の電話番号とメールアドレス、抽出されるまでの待機時間を入力する機能と、
サーバコンピュータの記憶部から接続相手の条件（言語、対象者、レベル、会話のキーワード）に該当する受信用待機登録機を抽出する機能と、【０００５】  該当する受信用待機登録機を抽出できない場合
サーバコンピュータは、発信者登録情報の接続相手の条件（言語、対象者、レベル、会話のキーワード）、受信用待機登録機の電話番号とメールアドレス、抽出されるまでの待機時間をサーバコンピュータの記憶部に記憶する機能と、
抽出されるまでの待機時間を越えたら発信者登録情報をサーバコンピュータの記憶部から削除する機能と、【０００６】  該当する受信用待機登録機を抽出できた場合
サーバコンピュータは、発信者登録情報の接続相手の条件（言語、対象者、レベル、会話のキーワード）、受信用待機登録機の電話番号とメールアドレス、抽出されるまでの待機時間を、抽出した受信用待機登録機と関連づけてサーバコンピュータの記憶部に記憶する機能と、
抽出した受信用待機登録機をサーバコンピュータの記憶部から削除する機能と、
ネットワークを介して抽出した受信用待機登録機の応答確認する機能と、【０００７】  抽出した受信用待機登録機の応答確認ができない場合
サーバコンピュータは、発信者登録情報の接続相手の条件（言語、対象者、レベル、会話のキーワード）、受信用待機登録機の電話番号とメールアドレス、抽出されるまでの待機時間をサーバコンピュータの記憶部に記憶する機能と、
抽出されるまでの待機時間を越えたら、発信者登録情報をサーバコンピュータの記憶部から削除する機能と、
サーバコンピュータの記憶部から抽出した受信用待機登録機を削除したことを、サーバコンピュータの記憶部に記憶されている電子メールアドレスを用いて電子メールで通知する機能と、【０００８】  抽出した受信用待機登録機の応答確認ができた場合
サーバコンピュータは、発信者のモバイル端末機をサーバコンピュータの記憶部に記憶されている受信用待機登録機の電話番号を用いてネットワークを介して接続する機能を実現させる条件接続システム。
【発明の効果】
【０００９】  上述したように本発明は、発信者登録情報の接続相手の条件（言語、対象者、レベル、会話のキーワード）、をサーバコンピュータの記憶部のデーターベースから、該当する受信待機登録機を抽出することで、自分の所望する条件で、会話学習の相手を選択できる。
そして、場所を選ばず、自由な時間に会話学習が出来る。
ネットワークを介して多数の人が参加することで、接続相手の条件を一致させることが容易にできる。
【発明の実施するための最良の形態】
【００１０】  以下、本発明の実施の形態を、図面を参照して説明する。
システムの構成を図１に基づいて説明する。
発信者モバイル端末機（携帯電話、ＰＨＳ等）１と受信用待機登録機２とネットワーク３とサーバコンピュータ４で構成する。
【００１１】  以下、実施形態のフローチャート図２に基づいて上記構成の機能を説明する。
会話学習の接続相手を探す発信者は、モバイル端末機１でネットワーク３を介して、サーバコンピュータ４にアクセスして，発信者登録情報図３に入力する。
接続相手の条件（言語、対象者、レベル、会話のキーワード）では、言語は会話学習する言語を入力する、対象者は社会人、大学生、高校生、中学生、小学生等を対象にして入力する、レベルは特定国語の語学検定資格等のレベルを入力する、会話のキーワードは自由に入力する。受信用待機登録機２の電話番号とメールアドレス、抽出されるまでの待機時間を入力する。
【００１２】  実施例として発信者登録情報図４に示す、言語は英語、対象者は高校生、レベルは英検３級、キーワードは大学入試、受信用待機登録機２の電話番号は０７０−００００−１１１１、メールアドレスは００００＠１１１１．ｎｅ．ｊｐ、抽出されるまでの待機時間は３０分を入力する（Ｓ２１）。
そして、サーバコンピュータ４の記憶部のデーターベース図５から接続相手の条件（言語、対象者、レベル、会話のキーワード）、に該当する受信用待機登録機２を抽出する（Ｓ２２）。
【００１３】該当する受信用待機登録機２を抽出できない場合（Ｓ２３でＮＯ）
サーバコンピュータ４は、発信者登録情報図４の接続相手の条件（言語、対象者、レベル、会話のキーワード）、受信用待機登録機２の電話番号とメールアドレス、抽出されるまでの待機時間をサーバコンピュータ４の記憶部のデーターベース図５に記憶する。
そして、抽出されるまでの待機時間を越えたら、発信者登録情報図４をサーバコンピュータ４の記憶部のデーターベース図５から削除する。
【００１４】該当する受信用待機登録機２を抽出できた場合（Ｓ２３でＹＥＳ）
サーバコンピュータ４は、発信者登録情報図４の接続相手の条件（言語、対象者、レベル、会話のキーワード）、受信用待機登録機２の電話番号とメールアドレス、抽出されるまでの待機時間を、抽出した受信用待機登録機２と関連づけて（Ｓ２４）、サーバコンピュータ４の記憶部に記憶する図６。
そして、抽出した受信用待機登録機２をサーバコンピュータ４の記憶部のデーターベース図５から削除する。ネットワーク３を介して抽出した受信用待機登録機２の応答確認（Ｓ２５）をする。
【００１５】  抽出した受信用待機登録機２の応答確認ができない場合は（Ｓ２５でＮＯ）
サーバコンピュータ４は、発信者登録情報図４の接続相手の条件（言語、対象者、レベル、会話のキーワード）、受信用待機登録機２の電話番号とメールアドレス、抽出されるまでの待機時間を、サーバコンピュータ４の記憶部のデーターベース図５に記憶する。
そして、抽出されるまでの待機時間を越えたら、発信者登録情報図４をサーバコンピュータ４の記憶部のデーターベース図５から削除する。
【００１６】そして、サーバコンピュータ４の記憶部のデーターベース図５から抽出した受信用待機登録機２を削除したことを，サーバコンピュータ４の記憶部の、発信者登録情報と受信用待機登録機の関連図６に記憶されている、受信用待機登録機２の電子メールアドレスを用いて、電子メールで通知する。
【００１７】抽出した受信用待機登録機２の応答確認ができた場合（Ｓ２５でＹＥＳ）
サーバコンピュータ４は、発信者のモバイル端末機１をサーバコンピュータ４の記憶部の、発信者登録情報と受信用待機登録機の関連図６に記憶されている受信用待機登録機２の電話番号を用いてネットワーク３を介して接続する（Ｓ２６）。
【図面の簡単な説明】
【００１８】
【図１】  本発明のシステムの構成を示す図である。
【図２】  同実施形態のフローチャートである。
【図３】  同実施形態の発信者登録情報を示す図である。
【図４】  同実施形態の発信者登録情報の実施例を示す図である。
【図５】  同実施形態のデーターベースの構成を示す図である。
【図６】  同実施形態の発信者登録情報と受信用待機登録機の関連を示す図である。
【符号の説明】
【００１９】［図１］において
１  発信者モバイル端末機
２  受信用待機登録機
３  ネットワーク
４  サーバコンピュータ
【図１】
2011022979.tif 000003
【図２】
2011022979.tif 000004
【図３】
2011022979.tif 000005
【図４】
2011022979.tif 000006
【図５】
2011022979.tif 000007
【図６】
2011022979.tif 000008